(57)【特許請求の範囲】
【請求項１】
主たる部品の実装搭載に供される第１の基板を含むと共に、補助的に該部品の実装搭載に供される第２の基板を含む複数の基板と、前記複数の基板を装着保持するサブフレームと、前記サブフレームを取り付け固定すると共に、所定箇所に機能表示用の表示部が取り付け保持されるホルダと、前記複数の基板を装着保持した前記サブフレームと前記表示部とを前記ホルダにより保持して構成される保持体に対して該ホルダ側から嵌め込まれて前記表示部を外部に対して露呈させるフロントケースと、前記フロントケースに対して前記サブフレーム側から嵌め込まれることで前記保持体を覆うリヤカバーとを備えた基板保持装置において、前記ホルダは、少なくとも前記第１の基板を装着保持して前記サブフレームを内壁側で嵌合保持するものであり、前記サブフレームは、前記第２の基板のみを装着保持して前記ホルダに対して外壁側で嵌め込まれるものであり、前記表示部は、前記第１の基板と略同等な幅寸法を有して前記ホルダの基底部に取り付け保持されたことを特徴とする基板保持装置。
【請求項２】
請求項１記載の基板保持装置において、前記ホルダは、前記基底部の両側から前記表示部とは反対側に延在する側面部の内壁間に設けられた受け溝で前記第１の基板を装着可能になっており、前記サブフレームは、基底部から両側に延在する側面部の該基底部近傍の所定箇所に内側を向いて突出して設けられた複数の底面受け片と該基底部との間で前記第２の基板を装着保持可能になっていると共に、該側面部の先端に外側へ突出して前記ホルダの前記側面部に設けられた前記受け溝に対して嵌め込み可能な突起を有しており、前記第１の基板は、前記ホルダの前記側面部に設けられた前記受け溝の余剰部分に前記サブフレームの前記側面部先端に設けられた前記突起が嵌合係止されることで固定保持される構造であることを特徴とする基板保持装置。
【請求項３】
請求項１又は２記載の基板保持装置において、前記リヤカバーの所定箇所には、前記第２の基板を位置決めするための位置決めリブが設けられたことを特徴とする基板保持装置。
【請求項４】
請求項２又は３記載の基板保持装置において、前記サブフレームは、前記複数の底面受け片及び前記基底部との間に対する前記第２の基板の装着保持に際して該第２の基板を所定方向でスライド挿入可能な構造となっており、且つ該第２の基板に対する該スライド挿入に際して該複数の底面受け片における該第２の基板の先端及び後端を位置決めして規定する位置に対応するものの近傍に位置決め突き当て部が設けられたことを特徴とする基板保持装置。
【請求項５】
主たる部品の実装搭載に供される第１の基板を含むと共に、補助的に該部品の実装搭載に供される第２の基板を含む複数の基板と、所定箇所に機能表示用の表示部が取り付け保持されると共に、少なくとも前記第１の基板を装着保持するホルダと、前記第１の基板と前記表示部とを前記ホルダにより保持して構成される保持体に対して該ホルダ側から嵌め込まれて前記表示部を外部に対して露呈させるフロントケースと、前記第２の基板のみを位置決め可能に組み込み保持して前記フロントケースに対して嵌め込まれることで前記保持体を覆うリヤカバーとを備え、更に、前記ホルダは、基底部の両側から前記表示部とは反対側に延在する側面部の内壁間に設けられた受け溝で前記第１の基板を装着可能になっており、前記表示部は、前記第１の基板と略同等な幅寸法を有して前記ホルダの前記基底部に取り付け保持され、前記リヤカバーは、前記ホルダの前記側面部に設けられた前記受け溝に対して嵌め込み可能な先端の突起と中途部分の所定箇所に内側に向くように突出して設けられた複数の底面受け片とを持って内側に延在する係合用突出片を有すると共に、該複数の底面受け片と基底面との間で前記第２の基板を装着保持可能になっており、前記第１の基板は、前記ホルダの前記側面部に設けられた前記受け溝の余剰部分に前記リヤカバーの前記係合用突出片先端に設けられた前記突起が嵌合係止されることで固定保持される構造であることを特徴とする基板保持装置。
【請求項６】
請求項５記載の基板保持装置において、前記リヤカバーは、前記複数の底面受け片及び前記基底面との間に対する前記第２の基板の装着保持に際して該第２の基板を所定方向でスライド挿入可能な構造となっており、且つ該第２の基板に対する該スライド挿入に際して該複数の底面受け片における該第２の基板の先端及び後端を位置決めして規定する位置に対応するものの近傍に位置決め突き当て部が設けられたことを特徴とする基板保持装置。
【請求項７】
請求項１〜６の何れか一つに記載の基板保持装置において、前記第１の基板及び前記第２の基板を含む前記複数の基板と前記表示部とは、互いに主面が平行に積層されることを特徴とする基板保持装置。
【発明の詳細な説明】
【０００１】
【発明の属する技術分野】
本発明は、主として所要の部品が実装搭載される基板を２枚以上保持するための基板保持装置であって、詳しくは全体の小型薄型化並びに各基板の薄型化を図りつつ、最大限の部品搭載を可能とすると共に、機能識別表示用の表示部の面積を可能な限り大きく確保できる構造の基板保持装置に関する。
【０００２】
【従来の技術】
従来、この種の基板保持装置は、これが搭載される電気・電子機器の仕様により必要な部品を実装搭載するための基板が２つ以上必要な場合、これらの基板を保持すると共に、そこで構築された機能表示が可能なようにＬＣＤ（液晶表示装置）等の表示部を備えた積層構造体として構成されている。
【０００３】
図８は、従来の基板保持装置の基本構成をその要部の保持体に用いられた２つの基板２，４に対して部品７，８を実装搭載した状態で示した側面図である。
【０００４】
このような基板保持装置は、例えば主たる複数の部品７の実装搭載用に供される第１の基板（メイン基板）２に対して各部品７を実装搭載（通常は基板２の一方の面を対象にして実装搭載するが、実装用の面積が足りない場合には他方の面を含めた両面を用いることがある）し、ここで実装搭載し切れない場合（基板２の片面にしか実装搭載できない場合や、基板２の両面に各部品７を実装搭載しても尚、その面積が足りない場合）、機能上、別の補助的な使用に供される第２の基板（サブ基板）４を使用して他の部品８を実装搭載する（但し、この基板４ではコネクタやＦＰＣ接続が必要な場合を含めて一方の面に実装搭載する）ときに各基板２，４を保持するために使用されるものである。
【０００５】
具体的に言えば、この基板保持装置の場合、装置全体の外周側面の一方向に幅寸法Ｘを持つように表示部であるＬＣＤ９が取り付け保持されたホルダ３に対して取り付け可能であると共に、各基板２，４を保持するための断面略アーチ型のサブフレーム１を用い、その基底部から両側に延在する側面部の基底部近傍に内側に向いて突出して設けられた底面受け片１ｃと基底部との間で基板４を装着保持すると共に、側面部の底面受け片１ｃよりも先端部分に内壁側に向いて設けられた保持爪１ｂの凹部で基板２を外側から挟み込んで装着保持した状態でホルダ３に対して保持爪１ｂの先端部分の取り付けを行うことで保持体を構成した後、この保持体に対してホルダ３の基底部側からＬＣＤ９の主面である表示面を外部に対して露呈可能であると共に、外装部分の対向する側面が一部切り欠かれた略板型のフロントケース６を嵌め込んだ状態でフロントケース６の周縁部に対してサブフレーム１の基底部側から別の外装部分の対向する側面が一部切り欠かれた略箱型のリヤカバー５の周縁部を組み付けて嵌合することで保持体を覆うように構成され、この状態で各基板２，４とＬＣＤ９との主面が互いに平行に積層される積層構造体となっている。
【０００６】
因みに、このような基板保持装置や一般的な部品保持構造体に関連する周知技術としては、例えば特開平８−６６７０号公報に開示された携帯形電子機器、特開平１１−１７３６６号公報に開示された計器の基板固定用ホルダ、特開２０００−１３２７１号公報に開示された電子機器の保持器具等が挙げられる。
【０００７】
【発明が解決しようとする課題】
上述した基板保持装置の場合、構造的に各基板を確実に保持することができるが、保持体及び装置全体における左右側面での背高寸法が高く、全体として体積が大きくなってしまう傾向にあるため、携帯電話機等の小型電気・電子機器を対象として搭載するときに適用できないことがあり、不都合となっているという問題がある他、携帯電話機等の小型電気・電子機器に搭載するときにはデザイン面での制約も大きく、特に表示部の面積においても近年ではモデルをチェンジする毎にその面積の拡大が要求されているにも拘らず、保持体におけるサブフレームに持たされた保持爪の内側の幅寸法範囲内でしかホルダに対して表示部を取り付け保持することができないため、表示部の面積拡大が制約されてしまうという問題もある。
【０００８】
要するに、既存の基板保持装置の場合、部品の実装搭載に供される基板が複数になるに伴い、如何に全体の厚さを最小限に抑え、全体の体積を小さくしながらサブフレーム又は他の部材により各基板を保持配置する積層構造とした上、ホルダに保持される表示部の面積を拡大し得るかが技術的課題となっている。
【０００９】
本発明は、このような問題点を解決すべくなされたもので、その技術的課題は、全体の小型薄型化並びに各基板の薄型化を図りつつ、最大限の部品搭載を可能とすると共に、機能識別用の表示部の面積を可能な限り大きく確保できる構造の基板保持装置を提供することにある。
【００１０】
【課題を解決するための手段】
本発明によれば、主たる部品の実装搭載に供される第１の基板を含むと共に、補助的に該部品の実装搭載に供される第２の基板を含む複数の基板と、複数の基板を装着保持するサブフレームと、サブフレームを取り付け固定すると共に、所定箇所に機能表示用の表示部が取り付け保持されるホルダと、複数の基板を装着保持したサブフレームと表示部とをホルダにより保持して構成される保持体に対して該ホルダ側から嵌め込まれて表示部を外部に対して露呈させるフロントケースと、フロントケースに対してサブフレーム側から嵌め込まれることで保持体を覆うリヤカバーとを備えた基板保持装置において、ホルダは、少なくとも第１の基板を装着保持してサブフレームを内壁側で嵌合保持するものであり、サブフレームは、第２の基板のみを装着保持してホルダに対して外壁側で嵌め込まれるものであり、表示部は、第１の基板と略同等な幅寸法を有してホルダの基底部に取り付け保持された基板保持装置が得られる。
【００１１】
又、本発明によれば、上記基板保持装置において、ホルダは、基底部の両側から表示部とは反対側に延在する側面部の内壁間に設けられた受け溝で第１の基板を装着可能になっており、サブフレームは、基底部から両側に延在する側面部の該基底部近傍の所定箇所に内側を向いて突出して設けられた複数の底面受け片と該基底部との間で第２の基板を装着保持可能になっていると共に、該側面部の先端に外側へ突出してホルダの側面部に設けられた受け溝に対して嵌め込み可能な突起を有しており、第１の基板は、ホルダの側面部に設けられた受け溝の余剰部分にサブフレームの側面部先端に設けられた突起が嵌合係止されることで固定保持される構造である基板保持装置が得られる。
【００１２】
更に、本発明によれば、上記何れかの基板保持装置において、リヤカバーの所定箇所には、第２の基板を位置決めするための位置決めリブが設けられた基板保持装置が得られる。
【００１３】
加えて、本発明によれば、上記何れかの基板保持装置において、サブフレームは、複数の底面受け片及び基底部との間に対する第２の基板の装着保持に際して該第２の基板を所定方向でスライド挿入可能な構造となっており、且つ該第２の基板に対する該スライド挿入に際して該複数の底面受け片における該第２の基板の先端及び後端を位置決めして規定する位置に対応するものの近傍に位置決め突き当て部が設けられた基板保持装置が得られる。
【００１４】
一方、本発明によれば、主たる部品の実装搭載に供される第１の基板を含むと共に、補助的に該部品の実装搭載に供される第２の基板を含む複数の基板と、所定箇所に機能表示用の表示部が取り付け保持されると共に、少なくとも第１の基板を装着保持するホルダと、第１の基板と表示部とをホルダにより保持して構成される保持体に対して該ホルダ側から嵌め込まれて表示部を外部に対して露呈させるフロントケースと、第２の基板のみを位置決め可能に組み込み保持してフロントケースに対して嵌め込まれることで保持体を覆うリヤカバーとを備え、更に、ホルダは、基底部の両側から表示部とは反対側に延在する側面部の内壁間に設けられた受け溝で第１の基板を装着可能になっており、表示部は、第１の基板と略同等な幅寸法を有してホルダの基底部に取り付け保持され、リヤカバーは、ホルダの側面部に設けられた受け溝に対して嵌め込み可能な先端の突起と中途部分の所定箇所に内側を向くように突出して設けられた複数の底面受け片とを持って内側に延在する係合用突出片を有すると共に、該複数の底面受け片と基底面との間で第２の基板を装着保持可能になっており、第１の基板は、ホルダの側面部に設けられた受け溝の余剰部分にリヤカバーの係合用突出片先端に設けられた突起が嵌合係止されることで固定保持される構造である基板保持装置が得られる。
【００１５】
又、本発明によれば、上記基板保持装置において、リヤカバーは、複数の底面受け片及び基底面との間に対する第２の基板の装着保持に際して該第２の基板を所定方向でスライド挿入可能な構造となっており、且つ該第２の基板に対する該スライド挿入に際して該複数の底面受け片における該第２の基板の先端及び後端を位置決めして規定する位置に対応するものの近傍に位置決め突き当て部が設けられた基板保持装置が得られる。
【００１６】
他方、本発明によれば、上記何れか一つの基板保持装置において、第１の基板及び第２の基板を含む複数の基板と表示部とは、互いに主面が平行に積層される基板保持装置が得られる。
【００１７】
【発明の実施の形態】
以下に本発明の実施の形態について、図面を参照して詳細に説明する。
【００１８】
図１は、本発明の一つの実施の形態に係る基板保持装置の基本構成をその要部の保持体に用いられた２つの基板２，４′に対して部品を実装搭載した状態で示したもので、同図（ａ）は上面方向からの平面図に関するもの，同図（ｂ）は側面図に関するものである。又、図２は、この基板保持装置における細部構成の組み付けを説明するために各部を分解して示した側面図である。
【００１９】
この基板保持装置の場合も、従来通りに各基板２，４′を保持する用途で使用されている点は変わりないが、各図を参照すれば、ここでは主たる複数の部品７の実装搭載に供される第１の基板（メイン基板）２を含むと共に、補助的に他の部品８の実装搭載に供される第２の基板（サブ基板）４′（図８で説明したものよりも幾分大きさが小さくなっている）を含む各基板２，４′を保持すべく、ホルダ３′では少なくとも基板２を装着保持してサブフレーム１′を内壁側で嵌合保持し、サブフレーム１′では基板４′のみを装着保持してホルダ３′に対して外壁側で嵌め込まれるものとし、表示部のＬＣＤ９′を装置全体の外周側面の一方向に基板２と略同等な幅寸法Ｘ′（従来のＬＣＤ９の幅寸法Ｘよりも大きい）を有してホルダ３′の基底部に取り付け保持されたものとした上、基板２を装着保持してＬＣＤ９′を保持したホルダ３′に対して基板４′を装着保持したサブフレーム１′を嵌合することで保持体を構成し、この保持体に対してホルダ３′の基底部側からＬＣＤ９′の主面である表示面を外部に対して露呈可能な外装部分の対向する側面が一部切り欠かれた略板型のフロントケース６を嵌め込んだ状態でフロントケース６の周縁部に対してサブフレーム１′の基底部側から別の外装部分の対向する側面が一部切り欠かれた略箱型のリヤカバー５′の周縁部を組み付けて嵌合することで保持体を覆うように構成され、この状態で各基板２，４′とＬＣＤ９′との主面が互いに平行な位置関係を保って積層される積層構造体となっている。
【００２０】
即ち、この基板保持装置の場合、長めの幅寸法Ｘ′のＬＣＤ９′が基底部に取り付け保持されたホルダ３′は基底部の両側からＬＣＤ９′とは反対側に延在する側面部の内壁間に設けられた受け溝３ａで基板２を装着可能になっており、サブフレーム１′は基底部から両側に延在する側面部の基底部近傍の所定箇所に内側を向いて突出して設けられた複数の底面受け片１ｃ′と基底部との間で基板４′を装着保持可能になっていると共に、側面部の先端に外側へ突出してホルダ３′の側面部に設けられた受け溝３ａに対して嵌め込み可能な突起１ａを有しており、ホルダ３′の内壁側にサブフレーム１′の外壁側を嵌め込んで保持体を構成する際、基板２はホルダ３′の側面部に設けられた受け溝３ａの余剰部分にサブフレーム１′の側面部先端に設けられた突起１ａが嵌合係止されることで固定保持される構造となっている。
【００２１】
又、この基板保持装置の場合、リヤカバー５′の所定箇所（図示するものでは基板４′の４隅に対応する４箇所）には、基板４′を組み込み状態で位置決めするための位置決めリブ５ａが設けられている。
【００２２】
この基板保持装置によれば、基板４′を単独で装着保持したサブフレーム１′の外側壁を基板２が装着されたホルダ３′の内側壁に沿って上から落とし込むことで簡単に保持体を組み立てて各基板２，４′及びＬＣＤ９′の主面を互いに平行に保持した積層構造にすることができる。ここで、サブフレーム１′はホルダ３′の内側に包み込まれるような格好で係止されるが、サブフレーム１′及びホルダ３′を各基板２，４′の主面に平行な方向で位置決めせず、基板４′の位置をリヤカバー５′に設けられた位置決めリブ５ａで基板４′の端部を突き当てることで位置決めを行うようにしており、基板２に関してはホルダ３′のフロントケース６への位置決めによって位置決めされるが、この位置決めは周知技術を適用して容易に実施できるので、図示及び細かな説明を省略する。
【００２３】
こうした構成を持つことにより、図示されない嵌合リブ等で位置決めされる筐体のリヤカバー５′及びフロントケース６でそれぞれ保持体の各基板２，４′が位置決めされて相互の位置精度が向上し、各基板２，４′間をコネクタ，ＦＰＣ等の部品接続で接続を要する場合にも位置精度が向上する他、基板４′の装着保持したサブフレーム１′の外壁側を基板２が装着されたホルダ３′の内壁側で包み込んで嵌合した積層構造としていることにより、各基板２，４′を含む装置全体の小型化・薄型化を図りつつ、各基板２，４′に対する部品７，８の搭載を最大限としてＬＣＤ９′の面積を大きく確保することが可能な構造であるため、小型電気・電子機器の一例である携帯電話機等への搭載が好適となる。しかも、図２に示される通り、フロントケース６へ他の各部を内蔵して組み込む際、部品７を実装した基板２が装着されたホルダ３′と部品８を実装した基板４′を装着保持したサブフレーム１′とを順に落とし込んでホルダ３′及びサブフレーム１′を嵌合して保持体とした上、フロントケース６に対してリヤカバー５′を被せることで簡単に組み立てを行うことができる。
【００２４】
図３は、この基板保持装置の要部である保持体にあってのサブフレーム１′への基板４′の組込み状態を説明するために示したもので、同図（ａ）は上面方向からの平面図に関するもの，同図（ｂ）は同図（ａ）のＡ−Ａ線断面矢視方向における側面図に関するもので、同図（ｃ）は他の方向からの側面図に関するものである。又、図４は、同様に保持体にあってのサブフレーム１′への基板４′の組込み初期状態を説明するために示したもので、同図（ａ）は上面方向からの平面図に関するもの，同図（ｂ）は同図（ａ）のＡ−Ａ線断面矢視方向における側面図に関するものである。更に、図５は、同様に保持体にあってのサブフレーム１′への基板４′の組込み中期状態を説明するために示したもので、同図（ａ）は上面方向からの平面図に関するもの，同図（ｂ）は同図（ａ）のＡ−Ａ線断面矢視方向における側面図に関するものである。
【００２５】
ここでは、上述した基板保持装置において、各図を参照すれば、サブフレーム１′は、複数の底面受け片１ｃ′及び基底部との間に対する基板４′の装着保持に際して基板４′を図４（ａ），（ｂ）、図５（ａ），（ｂ）に示される順で所定方向（各図中における矢印で示される下側から上側への向き）でスライド挿入可能な構造となっており、且つ基板４′の底面を支持するための複数の底面受け片１ｃ′として基板４′の４隅を含む総計６箇所にそれぞれ一対の組み合わせによる底面受け片１ｄ，１ｅ，１ｆが設けられると共に、基板４′に対するスライド挿入に際して各底面受け片１ｄ，１ｅ，１ｆにおける基板４′の先端及び後端を位置決めして規定する位置に対応するもの（各底面受け片１ｄ，１ｆ）の近傍にそれぞれ一対の組み合わせによる先端位置決め突き当て部１ｇ，後端位置決め突き当て部１ｈが設けられており、スライド挿入後には図３（ａ），（ｂ）に示されるように組込み状態となることを示している。
【００２６】
即ち、ここでは基板４′をサブフレーム１′への組み込む際、先ず図４（ａ），（ｂ）に示される矢印の方向から基板４′を底面受け片１ｄに沿って滑り込ませるように挿入した後、引き続いて図５（ａ），（ｂ）に示される矢印の方向に従って底面受け片１ｅ，１ｆのリブのガイドに沿うように挿入して基板４′を各底面受け片１ｄ，１ｅ，１ｆのリブ面上に完全に乗せると、この状態で図３（ａ）に示される先端位置決め突き当て部１ｆ，後端位置決め突き当て部１ｇの角に基板４′の先端，後端が順次突き当てられることで位置決めされ、６方向から確実に固定保持されることを示している。
【００２７】
更に、ここで基板４′をスライド挿入して固定保持したサブフレーム１′は、その側面の先端部分に外方へ向いて設けられた突起１ａが基板２を装着したホルダ３′の内壁側に設けられた受け溝３ａに上から落とし込むように組み込まれて嵌合係止することで簡単に保持体の組み立てを行うことができ、この後にリヤカバー５′をサブフレーム１′の基底部側から組み込むことで４箇所の位置決めリブ５ａが基板４′の上下方向における位置決め及び保持固定をすると共に、サブフレーム１′における突起１ａの基板２の主面周縁部に対する突き当て、及びリヤカバー５′の周縁部を上部からの基板２を装着したホルダ３′に組み込まれたフロントケース６の周縁部に組み付け嵌合するときのリヤカバー５′の側面壁によるホルダ３′の側面部に沿った支持固定による各基板２，４′の側面方向における固定保持により、図１（ａ），（ｂ）に示されるような基板保持装置の組み立て状態で各基板２，４′を位置決め精度良く安定して装着保持することができる。
【００２８】
従って、このような構成の基板保持装置では、基板４′を装着保持したサブフレーム１′の外壁側を基板２を保持しているホルダ３′の内壁側に包み込むように嵌合保持することにより、各基板２，４′を積層構造として配置できると共に、各基板２，４′を含む装置全体の厚みや体積を容易に小さくすることができる他、ホルダ３′に保持されるＬＣＤ９′の幅寸法Ｘ′も左右一杯まで伸ばしてその表示面積を拡大することができる。
【００２９】
ところで、上述した一つの実施の形態に係る基板保持装置の基本構成を変更し、基板４′を単独で装着保持するサブフレーム１′を用いることなく、以下に説明するように基板４′をリヤカバー５″へ組み込む構造とすると共に、サブフレーム１′の側面部先端に設けたホルダ３′の内壁側に設けた受け溝３ａへの取り付け部である突起１ａをリヤカバー５″の内側に延在するように一体化に形成した係合用突出片の先端に持たせることにより、ほぼ同等な機能の構造とすることも可能である。
【００３０】
図６は、本発明の他の実施の形態に係る基板保持装置の基本構成を示したもので、同図（ａ）は組み込み前の各部を分解して示した側面図に関するもの，同図（ｂ）は組み込み後の側面図に関するものである。
【００３１】
この基板保持装置の場合、各基板２，４′を保持すべく、少なくとも基板２を装着保持するホルダ３′と、基板２とＬＣＤ９′とをホルダ３′により保持して構成される保持体に対してホルダ３′側から嵌め込まれてＬＣＤ９′を外部に対して露呈させるフロントケース６と、基板４′のみを位置決め可能に組み込み保持してフロントケース６に対して嵌め込まれることで保持体を覆うリヤカバー５″とを備えており、更に、ここでは先の一つの実施の形態の場合と比べてホルダ３′は、基底部の両側からＬＣＤ９′とは反対側に延在する側面部の内壁間に設けられた受け溝３ａで基板２を装着可能になっており、ＬＣＤ９′は、基板２と略同等な幅寸法Ｘ′を有してホルダ３′の基底部に取り付け保持されている構成は同様であるが、リヤカバー５″に関しては、ホルダ３′の側面部に設けられた受け溝３ａに対して嵌め込み可能な先端の突起５ｃと中途部分の所定箇所に内側を向くように突出して設けられた複数の底面受け片５ｄ，５ｅ，５ｆとを一体的に持って内側に延在する係合用突出片５ｂを有すると共に、各底面受け片５ｄ，５ｅ，５ｆと基底面との間で基板４′を装着保持可能になっていることが相違しており、これにより基板２は、ホルダ３′の側面部に設けられた受け溝３ａの余剰部分にリヤカバー５″の係合用突出片５ｂ先端に設けられた突起５ｃが嵌合係止されることで固定保持される構造となっている。
【００３２】
即ち、この基板保持装置の場合、リヤカバー５″に関して、位置決めリブ５ａを設けることは構造上困難であるが、同様な部材はホルダ３′側に設けることで確保できる（但し、基板４′の装着保持に際して基底面での摩擦を大きく確保できるために実用上はさほど必要でない）し、各底面受け片５ｄ，５ｅ，５ｆ及び基底面との間に対する所定方向でのスライド挿入による基板４′の装着保持に際して各底面受け片５ｄ，５ｅ，５ｆにおける基板４′の先端及び後端を位置決めして規定する位置に対応するもの（各底面受け片５ｄ，５ｆ）の近傍にそれぞれ一対の組み合わせによる図示されない先端位置決め突き当て部や後端位置決め突き当て部を設けることは可能な構造となっているので、こうした構成によればほぼ先の一つの実施の形態の場合と同様に基板４′を装着保持したリヤカバー５″の内側に延在する係合用突出片５ｂ先端に設けられた突起５ｃを基板２を保持しているホルダ３′の内壁側に設けられた受け溝３ａの余剰部分に嵌合係止することにより、図６（ｂ）に示されるように各基板２，４′とＬＣＤ９′との主面が互いに平行な位置関係を保って積層される積層構造として安定良く保持配置できると共に、各基板２，４′を含む装置全体の厚みや体積を容易に小さくすることができる他、ホルダ３′の基底部に保持されるＬＣＤ９′の幅寸法Ｘ′も同様に左右一杯まで伸ばしてその表示面積を拡大することができる。
【００３３】
この基板保持装置において組み立てを行う際、図６（ａ）に示されるようにリヤカバー５″において基板４が位置決め保持されたものに対し、基板２を装着したホルダ３′から成る保持体を上から落とし込んでホルダ３′の側面部の内側にリヤカバー５″の係合用突出片５ｂが包み込まれるように嵌合（この状態でリヤカバー５″の係合用突出片５ｂ先端の突起５ｃがホルダ３′の側面部内壁側の受け溝３ａの余剰部分に嵌合係止される）した後、リヤカバー５″の周縁部に対してフロントケース６の周縁部を組み付けて嵌合することで組み立てが行われるもので、先の一つの実施の形態の場合と比べて各部の組み込みの順序が逆となっているが、落とし込みによる組み立ては同様に容易なものとなっており、各基板２，４′の固定保持機能もほぼ同等に得られる。
【００３４】
図７は、上述した各実施の形態に係る基板保持装置を搭載した電気・電子機器の一例である携帯電話機１００を示した外観斜視図である。
【００３５】
ここでは、小型電気・電子機器の代表である携帯電話機１００に上述した各実施の形態に係る基板保持装置を適用する場合、各基板保持装置では全体が薄型化（低背化）されているために搭載が容易となり、しかも従来以上に幅寸法Ｘ′が拡張されて表示面積が拡大されたＬＣＤ９′を持たせることができることにより、好適となることを示している。
【００３６】
尚、上述した各実施の形態に係る基板保持装置では、実用面で主流となっている２枚の基板２，４′を保持する場合を説明したが、必要に応じて３枚以上の基板を組み込み保持するように改造することも可能である。
【００３７】
【発明の効果】
以上に説明した通り、本発明の基板保持装置によれば、主たる基板が装着されて基底部にその基板と同等な長めの幅寸法の表示部が取り付け保持されたホルダの内側壁に沿って補助的な基板を単独で装着保持したサブフレームの外側壁を上から落とし込むことで保持体を組み立て、この保持体をホルダ側からフロントケース，サブフレーム側からリヤカバーを組み付けて嵌合することで各基板及び表示部の主面を互いに平行関係に保った積層構造とするか、或いはサブフレームを用いることなく、ホルダ及びフロントケースの構成をそのままにして補助的な基板をリヤカバーへ組み込む構造とすると共に、サブフレームに相当する係止用突出片をリヤカバーの内側へ延在するように一体的に設けた上、リヤカバーの係止用突出片に対してホルダを落とし込んで嵌合してからリヤカバーに対してフロントケースを組み付けて嵌合することで各基板及び表示部の主面を互いに平行関係に保った積層構造としているので、何れの場合にも各基板を含む装置全体の厚み（背高寸法）や体積を容易に小さくすることができる他、ホルダに保持される表示部の幅寸法を最大限に拡張してその表示面積を拡大することができるようになる。従って、このような基板保持装置によれば、結果として全体の小型薄型化並びに各基板の薄型化を図りつつ、各基板に対する部品搭載を最大限として表示部の面積を大きく確保するという技術的課題を達成できるため、特に小型化・薄型化（低背化）が顕著で従来構造の場合には搭載が困難な場合もあった携帯電話機に代表される小型電気・電子機器への適用が好適となる。
【図面の簡単な説明】
【図１】本発明の一つの実施の形態に係る基板保持装置の基本構成をその要部の保持体に用いられた２つの基板に対して部品を実装搭載した状態で示したもので、（ａ）は上面方向からの平面図に関するもの，（ｂ）は側面図に関するものである。
【図２】図１に示す基板保持装置における細部構成の組み付けを説明するために各部を分解して一部を切り欠いた状態で示した示した側面図である。
【図３】図１に示す基板保持装置の要部である保持体にあってのサブフレームへの第２の基板の組込み状態を説明するために示したもので、（ａ）は上面方向からの平面図に関するもの，（ｂ）は（ａ）のＡ−Ａ線断面矢視方向における側面図に関するもので、（ｃ）は他の方向からの側面図に関するものである。
【図４】図１に示す基板保持装置の要部である保持体にあってのサブフレームへの第２の基板の組込み初期状態を説明するために示したもので、（ａ）は上面方向からの平面図に関するもの，（ｂ）は（ａ）のＡ−Ａ線断面矢視方向における側面図に関するものである。
【図５】図１に示す基板保持装置の要部である保持体にあってのサブフレームへの第２の基板の組込み中期状態を説明するために示したもので、（ａ）は上面方向からの平面図に関するもの，（ｂ）は（ａ）のＡ−Ａ線断面矢視方向における側面図に関するものである。
【図６】本発明の他の実施の形態に係る基板保持装置の基本構成を示したもので、（ａ）は組み込み前の各部を分解して示した側面図に関するもの，（ｂ）は組み込み後の側面図に関するものである。
【図７】図１（ａ），（ｂ）又は図６（ａ），（ｂ）に示した基板保持装置を搭載した電気・電子機器の一例である携帯電話機を示した外観斜視図である。
【図８】従来の基板保持装置の基本構成をその要部の保持体に用いられた２つの基板に対して部品を実装搭載した状態で示した側面図である。
【符号の説明】
１，１′  サブフレーム
１ａ，５ｃ  突起
１ｂ  保持爪
１ｃ，１ｃ′，１ｄ〜１ｆ，５ｄ〜５ｆ  底面受け片
１ｇ  先端位置決め突き当て部
１ｈ  後端位置決め突き当て部
２，４，４′  基板
３，３′  ホルダ
３ａ  受け溝
５，５′５″  リヤカバー
５ａ  位置決めリブ
５ｂ  係合用突出片
６  フロントケース
７，８  部品
９，９′  ＬＣＤ
１００  携帯電話機
【図１】
0004068395.tif 000002
【図２】
0004068395.tif 000003
【図３】
0004068395.tif 000004
【図４】
0004068395.tif 000005
【図５】
0004068395.tif 000006
【図６】
0004068395.tif 000007
【図７】
0004068395.tif 000008
【図８】
0004068395.tif 000009